(57)【要約】【課題】部品交換を行うことなく繰返し使用可能な配管密閉性検査用プラグを提供することを目的とする。【解決手段】配管密閉性検査用プラグ１０は、管継手１６における管体接続用の挿入口１８に挿入可能な管状の挿入部２０を有し、挿入口１８の内部に設けられるシール部材２２に挿入部２０が圧接可能なプラグ部材１２と、管継手１６の外表面に対して挿入口１８の出口方向に係合可能な係合部３２と、プラグ部材１２の出口方向への移動を制限する雌ねじ３４（制限部）と、を有する固定部材１４と、を備える。【選択図】図１
2016017771.tif 000002
【特許請求の範囲】
【請求項１】
管継手における管体接続用の挿入口に挿入可能な管状の挿入部を有し、前記挿入口の内部に設けられるシール部材に前記挿入部が圧接可能なプラグ部材と、
前記管継手の外表面に対して前記挿入口の出口方向に係合可能な係合部と、前記プラグ部材の前記出口方向への移動を制限する制限部と、を有する固定部材と、
を備えた配管密閉性検査用プラグ。
【請求項２】
前記プラグ部材は、前記制限部に螺着される請求項１に記載の配管密閉性検査用プラグ。
【請求項３】
前記プラグ部材に雄ねじが設けられ、
前記制限部として、前記雄ねじと螺合する雌ねじが設けられ、
前記挿入部の一部の外径が、前記雌ねじの内径よりも大きい請求項１又は請求項２に記載の配管密閉性検査用プラグ。
【請求項４】
前記固定部材は、前記プラグ部材を囲う保護部を備える請求項１〜請求項３の何れか１項に記載の配管密閉性検査用プラグ。
【発明の詳細な説明】
【技術分野】
【０００１】
本発明は、配管密閉性検査用プラグに関する。
【背景技術】
【０００２】
樹脂配管の端末にワンタッチで装着可能なメカニカルタイプの流体漏れ検査プラグが開示されている（特許文献１参照）。
【先行技術文献】
【特許文献】
【０００３】
【特許文献１】特開２００５−３５１８２４号公報
【発明の概要】
【発明が解決しようとする課題】
【０００４】
しかしながら、上記した従来例に係る検査プラグでは、繰返しの使用により止水用のＯリングや保持部材等が消耗するため、部品の定期的な交換が必要であった。
【０００５】
本発明は、上記事実を考慮して、部品交換を行うことなく繰返し使用可能な配管密閉性検査用プラグを提供することを目的とする。
【課題を解決するための手段】
【０００６】
請求項１に係る配管密閉性検査用プラグ発明は、管継手における管体接続用の挿入口に挿入可能な管状の挿入部を有し、前記挿入口の内部に設けられるシール部材に前記挿入部が圧接可能なプラグ部材と、前記管継手の外表面に対して前記挿入口の出口方向に係合可能な係合部と、前記プラグ部材の前記出口方向への移動を制限する制限部と、を有する固定部材と、を備えている。
【０００７】
この配管密閉性検査用プラグは、配管の端末に管継手の一端を接続した状態で使用される。固定部材の係合部を管継手の外表面に係合させた状態で、プラグ部材の挿入部を管継手の他端の挿入口に挿入し、シール部材に圧接すると、プラグ部材の挿入部と管継手との間が密閉される。これにより、配管の端末が密閉された状態となる。
【０００８】
プラグ部材の軸方向の移動は、固定部材の制限部により制限されるので、配管の密閉性検査のために該配管の内部に水圧等の圧力を付与したり、プラグ部材に不意に外力が作用したりしても、該プラグ部材が管継手から抜けることはなく、プラグ部材と管継手との間の密閉性が維持される。
【０００９】
配管の端末を密閉するために管継手のシール部材を利用するので、配管密閉性検査用プラグには繰返し使用により消耗する部分がない。このため、配管密閉性検査用プラグは、部品交換を行うことなく繰返し使用可能である。
【００１０】
請求項２の発明は、請求項１に記載の配管密閉性検査用プラグにおいて、前記プラグ部材が、前記制限部に螺着される。
【００１１】
この配管密閉性検査用プラグでは、プラグ部材が固定部材の制限部に螺着されるので、配管の密閉性検査時における該配管の端末の密閉性を安定して維持することができる。
【００１２】
請求項３の発明は、請求項１又は請求項２に記載の配管密閉性検査用プラグにおいて、前記プラグ部材に雄ねじが設けられ、前記制限部として、前記雄ねじと螺合する雌ねじが設けられ、前記挿入部の一部の外径が、前記雌ねじの内径よりも大きい。
【００１３】
この配管密閉性検査用プラグでは、プラグ部材の雄ねじが固定部材の雌ねじに螺合することにより、管継手における挿入口の出口方向へのプラグ部材の移動が制限される。また、挿入部の一部の外径が、雌ねじの内径よりも大きいので、雄ねじと雌ねじとが螺合していないときでも、プラグ部材が固定部材から分離することが抑制される。このため、検査作業の度にプラグ部材と固定部材とを組み合わせる工数を削減でき、プラグ部材又は固定部材の紛失を防ぐことができる。
【００１４】
請求項４の発明は、請求項１〜請求項３の何れか１項に記載の配管密閉性検査用プラグにおいて、前記固定部材は、前記プラグ部材を囲う保護部を備える。
【００１５】
この配管密閉性検査用プラグでは、保護部により、プラグ部材の挿入部の損傷を抑制することができる。このため、プラグ部材を管継手に挿入した際の挿入部と管継手との間の密閉性を維持することができる。
【発明の効果】
【００１６】
本発明に係る配管密閉性検査用プラグによれば、部品交換を行うことなく繰返し使用可能な配管密閉性検査用プラグを提供することができる、という優れた効果が得られる。
【図面の簡単な説明】
【００１７】
【図１】（Ａ）管体に接続された管継手を示す正面図である。（Ｂ）本実施形態に係る配管密閉性検査用プラグを管継手に取り付けた状態を示す部分破断正面図である。（Ｃ）プラグ部材の挿入部を管継手に挿入してシール部材に圧接すると共に、該プラグ部材が固定部材に螺合した状態を示す部分破断正面図である。
【図２】（Ａ）固定部材の係合部と管継手を示す、図１（Ｃ）における２Ａ矢視側面図である。（Ｂ）固定部材とプラグ部材との螺合状態を示す、図１（Ｃ）における２Ｂ矢視側面図である。
【図３】図１（Ｃ）の部分拡大図である。
【図４】他の実施形態に係る配管密閉性検査用プラグを管継手に取り付けた状態を示す部分破断正面図である。
【発明を実施するための形態】
【００１８】
以下、本発明を実施するための形態を図面に基づき説明する。図１（Ｂ），図１（Ｃ），図２（Ｂ）において、本実施形態に係る配管密閉性検査用プラグ１０は、プラグ部材１２と、固定部材１４とを備えている。
【００１９】
プラグ部材１２は、管継手１６における管体３０の接続用の挿入口１８に挿入可能な管状の挿入部２０を有している。この挿入部２０は、例えば円筒状に形成され、挿入口１８の内部に設けられるシール部材２２に圧接可能とされている。プラグ部材１２には、雄ねじ２６が設けられている。この雄ねじ２６は、例えば挿入部２０に続いて、該挿入部２０と同軸上に形成されている。
【００２０】
更にプラグ部材１２には、この雄ねじ２６に続いて、頭部２８が設けられている。図１（Ｂ）、図２（Ｂ）に示されるように、この頭部２８の外周には、例えば２箇所の平面部２８Ａが、互いに平行に形成されている。頭部２８にはテーパ雌ねじ２９が形成され、ポンプや栓等の検査用の器具（図示せず）を接続するため、スパナ等の工具によりトルクをプラグ部材１２に与える平面部２８Ａが形成されている。テーパ雌ねじ２９の孔は、挿入部２０の内部と連通しており、プラグ部材１２はその軸方向に貫通している。
【００２１】
なお、頭部２８の形状は上記の形状に限られるものではなく、プラグ部材１２の軸方向から見て、四角形や六角形等であってもよい。また、頭部２８にテーパ雌ねじ２９を形成しなくてもよく、プラグ部材１２がその軸方向に貫通していなくてもよい。更に、頭部２８には、テーパ雌ねじ２９の代わりに、テーパ雄ねじ、平行雄ねじ、又は平行雌ねじを形成してもよい。プラグ部材１２は、例えば金属製であるが、配管密閉性検査に耐え得る強度を有していれば、例えば樹脂製であってもよい。
【００２２】
図１（Ｂ），図１（Ｃ）、図２（Ａ），図２（Ｂ）において、固定部材１４は、管継手１６の外表面に対して挿入口１８の出口方向に係合可能な係合部３２と、プラグ部材１２の出口方向への移動を制限する雌ねじ３４（制限部）と、を有している。プラグ部材１２は、該雌ねじ３４に螺着される。具体的には、プラグ部材１２の雄ねじ２６が、固定部材１４に設けられた雌ねじ３４に螺合するようになっている。このとき、挿入部２０がすべてのシール部材２２に圧接されるようになっている。
【００２３】
固定部材１４は、プラグ部材１２の軸方向に対向する一端部３８と他端部４０を有している。一端部３８と他端部４０は、例えば管継手１６の軸方向長さよりも大きく互いに離間し、夫々板状に形成されている。図２（Ａ）に示されるように、一端部３８には、管体３０の外径よりも幅広で、管継手１６の外径よりも幅狭の、略Ｕ字状の切欠き３８Ａが形成されている。ここで、管継手１６の外径とは、管継手１６のうち、係合部３２が係合する部位（後述するスリーブ４８の端面）の外径である。切欠き３８ＡがＵ字状であることから、固定部材１４は、管継手１６及び管体３０に対して、その径方向に取り付けられるようになっている。そして、固定部材１４の一端部３８のうち、切欠き３８Ａに沿った部位が、係合部３２として機能するようになっている。
【００２４】
雌ねじ３４は、固定部材１２の他端部４０に形成されている。雌ねじ３４の長さ、雄ねじ２６の長さ、及び他端部４０の板厚は、互いに同等である。図１（Ｃ）に示されるように、雄ねじ２６を雌ねじ３４に完全に螺合させたときに、プラグ部材１２の挿入部２０が、管継手１６のシール部材２２に適切に圧接される位置まで挿入されるようになっている。なお、雌ねじ３４の長さ、雄ねじ２６の長さ、及び他端部４０の板厚は、互いに同等でなくてもよい。
【００２５】
また、図３に示されるように、プラグ部材１２の内部には段部３１が設けられている。この段部３１が本体部４２の端面に当接することにより、それ以上プラグ部材１２が管継手１６内に入り込まないようになっている。段部３１が本体部４２の端面に当接したとき、雄ねじ２６が雌ねじ３４に完全に螺合した状態となる。なお、この段部３１を設けない構造としてもよい。また、雄ねじ２６と雌ねじ３４との螺着部分や、頭部２８の外面に、段部３１に相当する段部を設けてもよい。
【００２６】
また、図１（Ｂ），図１（Ｃ）に示されるように、固定部材１４は、プラグ部材１２を囲う保護部３６を備えている。この保護部３６は、例えば管継手１６の最大外径よりも大きく互いに離間した板状部であり、両端が一端部３８及び他端部４０に夫々結合されている。図示の例では、保護部３６と一端部３８が一体成形され、他端部４０に溶接やボルト締結等により接合されている。保護部３６は、プラグ部材１２を二方向から囲う構成となっている。また、固定部材１４を管継手１６に取り付けた状態では、保護部３６は、該管継手１６の直径方向の両側に夫々位置するようになっている。なお、保護部３６がプラグ部材１２を三方向から囲う構成としてもよい。
【００２７】
図４に示される変形例のように、固定部材１４の係合部３２が管継手１６に係合可能であれば、固定部材１４を該管継手１６よりも短く構成してもよい。
【００２８】
保護部３６の保護対象は、プラグ部材１２の挿入部２０である。挿入部２０は、管継手１６の挿入口１８に挿入されて、該管継手１６との間の密閉性を担保するものであるから、挿入部２０の傷を抑制するために、保護部３６によってプラグ部材１２を保護する構造となっている。
【００２９】
図３に示されるように、挿入部２０の一部の外径Ｄ２は、固定部材１４に設けられた雌ねじ３４の内径Ｄ３よりも大きい。具体的には、挿入部２０の先端には、該挿入部２０の一般部２０Ｂよりも外径が大きい環状の大径部２０Ａが設けられている。また、挿入部２０の一部の外径Ｄ２は、挿入口１８の内部に設けられる管体３０用の抜止め部材（後述する爪部６４）の内径Ｄ１よりも小さい。つまり、内径Ｄ１、外径Ｄ２及び内径Ｄ３の関係は、Ｄ１＞Ｄ２＞Ｄ３である。
【００３０】
なお、大径部２０Ａは一箇所に限られず、挿入部２０の複数箇所に設けられていてもよい。また、挿入部２０の外周に複数の突起（図示せず）を設けて、挿入部２０が雌ねじ３４を通り抜けることができないようにしてもよい。
【００３１】
図３において、管継手１６の構成の一例を簡単に説明する。管継手１６は、管状の本体４２と、この本体４２に外挿される管状の中間部４４と、中間部４４に外挿された管状のスリーブ４８と、を備えており、中間部４４及びスリーブ４８と本体４２との間に、管体３０が挿入される挿入口１８が形成されている。なお、本体４２は、中間部４４の内側に配置される円筒部材５０と、円筒部材５０が取り付けられる接合部材（図示せず）とを含んで構成されている。円筒部材５０の外周には、シール部材２２が取り付けられている。このシール部材２２は、例えばＯリングであり、２本のＯリングが、並列に配置されている。
【００３２】
また、スリーブ４８の内側には、管体３０を挿入口１８に保持するための環状のロックリング６０が配置されている。このロックリング６０は、断面が横向きの略Ｖ字形をなしており、略Ｖ字形の開口部６０Ａが管体３０の挿入方向に向かうように配置されている。そして、ロックリング６０の内周側の端部は、管継手１６に挿入された管体３０の外周面と引っ掛かる又は、管体３０の外周面に食い込むことで係止する爪部６４とされている。
【００３３】
スリーブ４８の内側であって、ロックリング６０よりも挿入口１８の開口側には、前後方向（管体３０の軸方向）に移動可能な解放リング６２が内挿されている。この解放リング６２は、管継手１６から管体３０を取り外す際に、管体３０に対する爪部６４の係止を解除するための部品である。
【００３４】
（作用）
本実施形態は、上記のように構成されており、以下その作用について説明する。本実施形態に係る配管密閉性検査用プラグ１０は、図１（Ａ）に示されるように、検査対象の配管の端末（管体３０）に管継手１６の一端を接続した状態で使用される。図１（Ｂ）に示されるように、プラグ部材１２を、固定部材１４に対して管継手１６と干渉しない位置まで後退させ、固定部材１４を管継手１６に対して、その径方向に被せるように取り付ける。このとき、管体３０が、固定部材１４の一端部３８の切欠き３８Ａ内に入り込む。これにより、固定部材１４の係合部３２が、管継手１６の外表面に係合した状態となる。
【００３５】
続いて、図１（Ｃ）に示されるように、プラグ部材１２の挿入部２０を管継手１６の他端の挿入口１８に挿入して行き、プラグ部材１２の雄ねじ２６を固定部材１４の雌ねじ３４に螺合させると、挿入部２０がすべてのシール部材２２に正しく圧接された状態となる。これにより、プラグ部材１２の挿入部２０と管継手１６との間が密閉され、管体３０の端末が密閉された状態となるので、該配管の密閉性の検査を行うことが可能となる。
【００３６】
このとき、プラグ部材１２の雄ねじ２６が固定部材１４の雌ねじ３４に螺合することにより、管継手１６における挿入口１８の出口方向へのプラグ部材１２の移動が制限される。つまり、プラグ部材１２の軸方向の移動は、固定部材１４の雌ねじ３４（制限部）により制限される。従って、配管の密閉性検査のために該配管の内部に水圧等の圧力を付与したり、プラグ部材１２に不意に外力が作用したりしても、該プラグ部材１２が管継手１６から抜けることはなく、プラグ部材１２と管継手１６との間の密閉性が安定して維持される。更には、プラグ部材１２と固定部材１４の組立及び分解が容易である。管継手１６に対するプラグ部材１２の保持強度は、該管継手１６と管体３０との接続強度に依存するので、手加減による密閉性のばらつきはない。
【００３７】
また、配管の端末を密閉するために管継手１６のシール部材２２を利用するので、配管密閉性検査用プラグ１０には、を繰返し使用により消耗する部分がない。このため、配管密閉性検査用プラグは、部品交換を行うことなく繰返し使用可能である。
【００３８】
また、図４に示されるように、挿入部２０の大径部２０Ａ（一部）の外径Ｄ２が、雌ねじ３４の内径Ｄ３よりも大きい（Ｄ２＞Ｄ３）ので、雄ねじ２６と雌ねじ３４とが螺合していないときでも、プラグ部材１２が固定部材１４から分離することが抑制される。このため、検査作業の度にプラグ部材１２と固定部材１４とを組み合わせる工数を削減でき、プラグ部材１２又は固定部材１４の紛失を防ぐことができる。また、挿入部２０の一部の外径Ｄ２が、挿入口１８の内部に設けられる管体３０用の抜止め部材（後述する爪部６４）の内径Ｄ１よりも小さい（Ｄ１＞Ｄ２）ので、管継手１６に対する挿入部２０の抜差しが、爪部６４により妨げられることはない。
【００３９】
更に、配管密閉性検査用プラグ１０では、保護部３６により、プラグ部材１２の挿入部２０の損傷を抑制することができる。このため、プラグ部材１２を管継手１６に挿入した際の挿入部２０と管継手１６との間の密閉性を維持することができる。
【００４０】
また、配管密閉性検査用プラグ１０は、構造が簡素で構成部品が少ないため、安価で提供することができる。更に、プラグ部材１２を配管の端末に直接接続する構造ではないため、試験前後で該端末の状態が変化しない。このため、試験後における配管の端末の切断が不要である。更に、検査後に配管を延長する場合でも、管継手１６をそのまま使用できるので、別途管継手１６を用意する必要がない。また、固定部材１４を取り換えることで、様々なタイプの管継手に対応することができる。
【００４１】
［他の実施形態］
以上、本発明の実施形態の一例について説明したが、本発明の実施形態は、上記に限定されるものでなく、上記以外にも、その主旨を逸脱しない範囲内において種々変形して実施可能であることは勿論である。
【００４２】
「螺着」は、上記実施形態に構成の他、プラグ部材１２に設けたフランジ（図示せず）を固定部材１４にボルト締結する等の構成を含む。
【００４３】
制限部は雌ねじ３４に限られず、プラグ部材１２の移動を制限できる構造であれば、どのようなものを用いてもよい。例えばプラグ部材１２に爪部（図示せず）を設け、該爪部が、固定部材１４の他端部４０に対して、第１の角度位置で挿通可能となり、第２の角度位置で係合するようにしてもよい。
【００４４】
固定部材１４は、保護部３６を備えていなくてもよい。
【符号の説明】
【００４５】
１０    配管密閉性検査用プラグ
１２    プラグ部材
１４    固定部材
１６    管継手
１８    挿入口
２０    挿入部
２６    雄ねじ
３０    管体
３２    係合部
３４    雌ねじ
３６    保護部
Ｄ２    挿入部の一部の外径
Ｄ３    雌ねじの内径
【図１】
2016017771.tif 000003
【図２】
2016017771.tif 000004
【図３】
2016017771.tif 000005
【図４】
2016017771.tif 000006